(57)【要約】【課題】複数枚のカードを収容するカードコネクタの小型化及び薄型化が可能で、かつ簡単な機構でコストダウンすることができるイジェクト機構と、それを備えたカードコネクタとを提供すること。【解決手段】イジェクト機構１０は、第１のカード５１を排出する第１の排出部材３と、第２のカード５２を排出する第２の排出部材２と、前記第１及び第２のカード５１，５２を収容する収容位置と前記収容位置からカード収容方向へ移動した第１の位置と前記収容位置からカード排出方向へ移動した第２の位置との間で摺動自在なイジェクトバー１とを備えている。第１及び第２の排出部材３，２の夫々は、前記イジェクトバー１が摺動することにより操作され、カードを排出する。前記イジェクトバー１を前記収容位置からカード挿入方向である前記第１の位置へ摺動した際、前記第１のカード５１が排出される。前記イジェクトバー１を前記収容位置からカード排出方向である前記第２の位置へ摺動した際には、前記第２のカード５２が排出される。【選択図】　　　図１
2004095277.tif 000002
【特許請求の範囲】
【請求項１】
挿入された複数のカードを排出するためのイジェクト機構において、
前記イジェクト機構は第１のカードを排出する第１の排出部材と、第２のカードを排出する第２の排出部材と、前記第１及び第２のカードを収容する収容位置と前記収容位置からカード収容方向へ移動した第１の位置と前記収容位置からカード排出方向へ移動した第２の位置との間で移動自在なイジェクトバーとを備え、
前記第１及び第２の排出部材の夫々は、前記イジェクトバーが移動することにより操作され、カードを排出するものであり、
前記イジェクトバーを前記収容位置からカード挿入方向である前記第１の位置へ移動した際、前記第１のカードが排出され、
前記イジェクトバーを前記収容位置からカード排出方向である前記第２の位置へ移動した際には、前記第２のカードが排出されるように構成されていることを特徴とするイジェクト機構。
【請求項２】
請求項１記載のイジェクト機構において、前記第１及び第２の排出部材は、前記第１及び前記第２のカードの積層方向に並んで配置されていることを特徴とするイジェクト機構。
【請求項３】
請求項１記載のイジェクト機構において、前記第１及び第２の排出部材は、前記第１及び第２のカードの幅方向に並んで配置されていることを特徴とするイジェクト機構。
【請求項４】
請求項１乃至３の内のいずれか一つのイジェクト機構を備えていることを特徴とするカードコネクタ。
【請求項５】
請求項４記載のカードコネクタにおいて、前記イジェクトバーを操作するための操作部をカード挿入側に備えていることを特徴とするカードコネクタ。
【発明の詳細な説明】
【０００１】
【発明の属する技術分野】
本発明は、カードコネクタからカードを排出するためのイジェクト機構に関し、詳しくは、複数のカードを収容するカードコネクタのイジェクト機構に関する。
【０００２】
【従来の技術】
従来、２枚のカードを別々の挿入口へと収納できるカードコネクタは、２つのイジェクトレバーを使用し、夫々の独立した機構でカードを排出していた。
【０００３】
図８は従来技術によるカードコネクタの一例を示す正面斜視図であり、図９（ａ）及び（ｂ）は非選択状態を示す要部の正面図及び断面図、図１０（ａ）及び（ｂ）は一選択状態を示す要部の正面図及び断面図、図１１は図９及び図１０の要部の変形例を示す分解組立斜視図である（例えば、特許文献１、参照）。
【０００４】
図８乃至図１１を参照すると、カードコネクタ１０１のコネクタケース１１１は平面コ字形で、前方に延びる側縁１１２、１１３の内側にはカード媒体を案内するスロット１１４（１１４ａ、１１４ｂ）が設けられ、その奥辺１１５にはカード媒体と接続される多数の接点１１６が配置されている。スロット１１４及び接点１１６は上下２段に設けられ、２枚のカード媒体が装着されるようになっている。接点１１６のそれぞれはリード１１７として引き出され、このリードの図で下方に屈曲した先端が、プリント板の配線パターンに接続される。リード１１７の配置位置の両側の部分には、コネクタケース１１１をプリント板に固定するためのネジ挿通孔１１８が設けられている。
【０００５】
カードコネクタの奥辺１１５の部分には、薄い金属ブレートで製作したシーソーレバー１２１が支点ピン１２２で枢支されている。シーソーレバー１２１の先端は、カードコネクタの奥辺１１５の中央部に位置し、この先端に押出片１２３が固着されている。シーソーレバー１２１の他端には、連結ピン１２４で伝達ロッド１２５が連結されており、この伝達ロッド１２５は、コネクタの一方の側縁１１２内を通って、この側縁の手前端近くまで延びている。このように構成された排出機構１０２は、コネクタケース１１１の図の上面側と下面側とにそれぞれ設けられており、２本の伝達ロッド１２５ａ、１２５ｂが上下に隣接した状態で、一方の側縁１１２の前端側に臨んでいる。
【０００６】
一方の側縁１１２の前端には、伝達ロッド１２５（１２５ａ、１２５ｂ）の延在方向と平行な中心軸まわりに回動可能かつ軸方向移動可能な操作ロッド１３１が設けられ、この操作ロッド１３１の手前端に摘み１３２が固着されている。操作ロッド１３１は中間部に鍔１３３を有し、この鍔１３３とコネクタケース１１１との間に圧縮コイルバネ１３４が介装されて、操作ロッド１３１は手前側（摘み１３２が突出する側）に付勢されている。操作ロッド１３１の奥端は、排出機構の２本の伝達ロッド１２５ａ、１２５ｂと対向しており、その対向端に操作ロッド１３１の回動中心軸から偏心させて、押棒１３５が植立されている。操作ロッド１３１の回動角は、押棒１３５の側面に当接する２枚のストッパ１３６ａ、１３６ｂで１８０度の角度で規制されている。ストッパ１３６ａ、１３６ｂはカセットケース１１１と一体成形された構造である。
【０００７】
操作ロッド１３１には軸まわりに９０度間隔を隔てた軸方向の３本の保持溝１３７が設けられており、コネクタケース１１１側には、この溝と嵌合するボール１３８とこのボールを付勢するバネ１３９が内装されている。
【０００８】
３本の保持溝１３７は、押棒１３５が上側伝達ロッド１２５ａに対向する位置と、上側ロッドと下側ロッドとの間の空間１２６に対向する位置と、下側伝達ロッド１２５ｂに対向する位置とに保持される位置に設けられている。摘み１３２の前面には押棒１３５の装着方向を示す矢印１４１が表示されている。
【０００９】
このように構成された従来技術による装置において、押棒１３５が上側伝達ロッド１２５ａに対向する位置に保持された図９の状態において、摘１３２の前面を押すと、操作ロッド１３１が押し込まれて、押棒１３５が対向している上側伝達ロッド１２５ａを押し、上側のシーソーレバー１２１を揺動させて上側の押出片１２３をカード排出方向に移動させ、上側のスロット１１４ａに挿入されているカード媒体を押し出す。押棒１３５を中間位置に回動させた状態では、摘み１３２の前面を押しても、押棒３５は上側伝達ロッド２５ａと下側伝達ロッド２５ｂとの間の空間１２６に進出するので、この押棒１３５の進出動作はいずれのロッドにも伝えられず、排出動作は行われない。また押棒１３５を下側伝達ロッド１２５ｂに対向させた図１０の状態では、摘み１３２の前面を押すことにより、押棒１３５が下側伝達ロッド１２５ｂを押動し、図８には示されていない下側のシーソーレバーを揺動させて、下側の押出片をカード排出方向に移動させ、下側のスロット１１４ｂに装填されたカード媒体を排出する。
【００１０】
図９ないし図１０の各状態は、操作ロッド３１に設けた３本の保持溝１３７と、コネクタケース１１１側に設けたボール１３８との嵌合により、それぞれ保持される。オペレータは上側のスロット１１４ａに挿入されたカード媒体を排出するときは、摘み１３２を左まわりに回動端まで回し、次に摘み３２を押し込んでやればよく、また下側のスロットに挿入されたカード媒体を排出するときは、摘み１３２を右回りに回動端まで回した後、摘み１３２を押し込んでやればよい。
【００１１】
図９ないし図１０に示した構造は、押棒１３５を上下の伝達ロッド２１５ａ、１２５ｂとその中間とに対向させたそれぞれの状態で、摘み１３２の回動位置を保持させるようにした構造であるが、摘み１３２から手を離したときに、押棒１３５が常に上下の伝達ロッド１２５ａ、１２５ｂの中間に位置するような構造とすることもできる。これはたとえば図１１に示すように、操作ロッド１３１を手前側に付勢している圧縮コイルバネ１３４の両端に突起１４２、１４３を設け、この突起の一方１４２を操作ロッドの鍔１３３に設けた孔１４４に嵌合し、他方１４３をカセットケース側の孔に嵌合して、圧縮コイルバネ１３３の捩り弾性により、操作ロッド１３１の中心軸まわりの回転位置が一定の位置に保持されるようにするのである。
【００１２】
このような構造を採用した場合にも、カード媒体排出時の操作は、前述した場合と同様になり、オペレータは常に摘み１３２を右または左に回動端まで回動したあと摘み１３２を押し込むことによって、上または下のカード媒体の排出を行うこととなる。この図１１の構造を採用した場合においても、摘み１３２の回動角を規定するストッパ１３６ａ、１３６ｂを設けておく。
【００１３】
図１２は従来技術によるカードコネクタの他の一例を示す斜視図、図１３は図１２のコネクタの分解組立斜視図である（例えば、特許文献２、参照）。
【００１４】
図１２及び図１３において，多段カードコネクタ１５１は，電気絶縁性の枠体１５２と，この枠体１５２に回動自在に取り付けられたレバー１５３と，枠体１５２に矢印１９１の方向に進退自在に設けられたイジェクタ１５４と，上下に有るイジェクタ１５４を切り替え接続を行う操作部材１５５とを備えている。
【００１５】
枠体１５２には，ＩＣカードやメモリーカード等のソケット型の相手側コネクタ１９０を矢印１９１の方向ヘ嵌合・離脱可能に受け入れる中空部１５６と相手側コネクタ１９０を中空部１５６内へ挿入するためのコネクタ嵌合口１５７とを備えている。また，枠体１５２の一端側には，多数の導電性のピンコンタクト１５８が列設されている。
【００１６】
相手側コネクタ１９０は，枠体１５２内への嵌合時には，前記ピンコンタクト１５８と接触することができる対応コンタクト（図示せず）を備えている。
【００１７】
枠体１５２は，図１３に最も良く示すように，ガイドフレーム１６０とコンタクトフレーム１６１とから構成されている。コンタクトフレーム１６０は，この従来例では同一のものを２段重ねたうえで，ガイドフレーム１６０と，係合凸部１６２と係合凹部１６３との相互結合により互いに結合されている。
【００１８】
ガイドフレーム１６０は複数の相手側コネクタ１９０の両側縁を摺動自在に受け入れてこれを案内する互いに平行なガイド部１６４，１６４と，複数の相手側コネクタ１９０を仕切るセパレータ１６５を両側に備えている。両ガイド部１６４，１６４の外側には，このガイド部１６４，１６４に沿ってイジェクタ１６４を進退自在に保持するホルダ部１６６が設けられている。
【００１９】
図１２及び図１３に戻って，コンタクトフレーム１６１はほぼ箱型で，一端側には多数のピンコンタクト１５８が矢印１９１と直交する方向（水平方向）に列設され，一方，他端側には，その内側に相手側コネクタ１９０の先端部を受け入れることの出来る空間１７０を有し，また，上面にはレバー１５３の回転動作の中心となる回動軸１７１を有している。
【００２０】
同一な２個のコンタクトフレーム１６１に対して，レバー１５３は２個の同一な物が使用され，各々，端側に押し出し部１８１，他端側に係合部１８２，その中間に軸孔１８３を備えている。軸孔１８３内にはコンタクトフレーム１６１上にある回動軸１７１が回動自在に嵌入されている。こうしてレバー１５３はコンタクトフレーム１６１上に回動自在に保持されている。押し出し部１８１は，相手側コネクタ１９０が枠体１５２内へ挿入されている時は空間１７０の外にあるが，相手側コネクタ１９０を枠体１５２から離脱する時には，イジェクタ１５４によってレバー１５３が押され回転することにより，押し出し部１８１が空間１７０内へ突出して，嵌合状態にある相手側コネクタ１９０を空間１７０から押し出す。イジェクタ１５４は同一な物が２個用いられ，それぞれがコンタクトフレーム１６１の側部まで伸びている。
【００２１】
中立状態においては、係合凸起１５９は係合溝１７３ａと係合している。この時、操作部材１５５を押し込んでも、接続部１７４は、イジェクタ１５４，１５４の間をすり抜け，手を離すとバネ１７２の復元により操作部材１５５は元の位置に復帰する。操作部材１５５を上方に動かすと、係合凸起１５９は係合溝１７３ｂと係合する。操作部材１５５を押し込むと接続部１７４は上側イジェクタ１５４の押し付け面を押し込むため，上側イジェクタ１５４が押し込まれ，上側の相手コネクタ１９０を離脱する。この時，下側イジェクタ１５４は静止している。
【００２２】
一方，切り替え部材を下方に動かすと，係合凸起１５９は係合溝１７３ｃと係合し，この時操作部材１５５を押し込むと，接続部１７４が下側イジェクタ１５４のみを押し込み，下側の相手側コネクタ１９０離脱する。
【００２３】
前述した特許文献１及び２に記載されたコネクタは、カードと排出機構、例えば、イジェクトレバーが１対１なので、２つのイジェクトレバーを使用し、夫々駆動するための複雑な排出機構を必要としていた。
【００２４】
これに対して、一つのイジェクトレバーを用いたものも提案されている（例えば、特許文献３参照）。
【００２５】
図１４は特許文献３によるカードコネクタのイジェクト装置を示す分解組立斜視図、図１５は下段のカードを排出際の操作レバーとカード排出レバーの力点部との関係を示す図、図１６は上段のカードを排出際の操作レバーとカード排出レバーの力点部との関係を示す図である。
【００２６】
図１４に示すように、多段式のカードコネクは、上段フレーム２０１と、下段フレーム２０６とを備え、各フレーム２０１，２０６にそれぞれカードが装着されるようになっている。上段フレーム２０１には、上段カード排出レバー２０２が設けられており、下段フレーム２０６には、下段カード排出レバー２０７が設けられている。
【００２７】
上段カード排出レバー２０２は、支点２０３により上段フレーム２０１に軸支されており、力点部２０４と作用点部２０５が、支点２０３を挟んで反対側に配置されている。そして、力点部２０４を矢印Ａ方向に押し込んだときに、作用点部２０５が支点２０３を中心にその反対側に移動し（回動し）、図示しない上側カードを図の手前側に排出するようになっている。
【００２８】
下段カード排出レバー２０７は、支点２０８により下段フレーム２０６に軸支されており、力点部２０９と作用点部２１０が支点２０８に対し同一側に配置されている。そして、力点部２０９を矢印Ｂ方向に引き出したときに、作用点部２１０が同方向に移動し、図示しない下側カードを図の手前側に排出するようになっている。
【００２９】
上段フレーム２０１と下段フレーム２０６に、操作レバー２１１が取り付けられる。板状の操作レバー２１１は、上段長穴２１２と下段長穴２１３を有しており、手前側端部には、ユーザが手を触れる操作部２１４が設けてある。
【００３０】
操作レバー２１１の上段長穴２１２には、上段カード排出レバー２０２の力点部２０４が嵌合し、一方、操作レバー２１１の下段長穴２１３には、下段カード排出レバー２０７の力点部２０９が嵌合している。
【００３１】
操作レバー２１１の操作部２１４を押して、操作レバー２１１を矢印のＡ方向に押し込むと、上段カード排出レバー２０２だけが、支点２０３を中心に回動して、カード排出動作を行うようになっている。逆に、操作レバー２１１の操作部２１４に指を掛け、あるいは、摘んで、操作レバー２１１を矢印Ｂ方向に引き出すと、下段カード排出レバー２０７だけが支点２０８を中心に回動して、カード排出動作を行うようになっている。
【００３２】
上述のようなカード排出操作が行われるために、操作レバー２１１の各長穴２１２，２１３と各カード排出レバー２０２，２０７の力点部２０４，２０９との関係は、図１６に示すようになっている。すなわち、上段フレーム２０１，下段フレーム２０６のいずれにもカードが装着されている状態では、上段カード排出レバー２０２の力点部２０４は、上段長穴２１２の左端部にある。一方、下段カード排出レバー２０７の力点部２０９は、下段長穴１１３の右端部にある。
【００３３】
この状態から図１６に示すように、操作レバー２１１を矢印Ａ方向（右方向）に押し込むと、力点部２０４は上段長穴２１２の左縁に押されながら、操作レバー２１１と共に右方向に移動する。一方、力点部２０９は、下段長穴２１３の右縁と離れるので移動はしない。斯くして操作レバー２１１を矢印Ａ方向に押し込むと、上段カード排出レバー２０２のみが作動することになる。
【００３４】
また、図１６の状態から図１５に示すように、操作レバー２１１を矢印Ｂ方向（左方向）に引き出すと、力点部２０９が下段長穴２１３の右縁に押されながら操作レバー２１１と共に左方向に移動する。一方、力点部２０４は、上段長穴２１２の左縁と離れるので移動はしない。この結果、操作レバー２１１を矢印Ｂ方向に引き出すと、下段カード排出レバー２０７のみが作動することになる。ここで、各長穴２１２，２１３の寸法（長さ）は、各力点部２０４，２０９の幅及び操作レバーが移動する距離の分だけ必要となる。
【００３５】
【特許文献１】
特開平７−１９２１００号公報
【００３６】
【特許文献２】
特開平７−２４４７１０号公報、図１及び図２
【００３７】
【特許文献３】
特開２０００−９１０３１公報
【００３８】
【発明が解決しようとする課題】
しかしながら、上記特許文献１，２のイジェクト機構はイジェクトレバーを夫々収容されるカードの数だけ設けなければ成らず、したがって、部品点数やスペースが大きくなり、小型化や薄型化が困難で、コストが高いものであった。
【００３９】
一方、上記特許文献３によるものは、夫々のカードに共通したイジェクトレバーを側面に設けており、部品点数の削減には、適しているが、高さに関しては結局イジェクトレバー２個分に相当し、イジェクトレバーの高さを低減することができない。
【００４０】
また、上記特許文献３によるイジェクトレバーに嵌め合う排出部は、水平面内で回転する構成であり、回転すると排出部の端部が幅方向の移動を生じる。
【００４１】
さらに、排出部のカードのへの作用点と支点との間の距離が、レバーとの係合部である力点と支点との距離よりも短いために、カードを排出させるためには、収容されたカードのカード排出方向の移動距離よりも、レバーの移動距離を大きくとらねばならず、レバーのストロークを大きくしなければならないとい欠点を有した。したがって、長さ方向の寸法を大きくとらねばならず、コネクタの大型化につながるものであった。
【００４２】
また、ストロークを大きくとると、排出部の移動距離が大きく、したがって回転するために幅方向の移動距離が大きくなり、排出部の端部の突起とイジェクトレバーの穴部との係合がはずれやすく、この場合、イジェクト動作ができないいという欠点を備えている。
【００４３】
また、レバーの厚さ方向がカードもしくはコネクタの幅方向であるために、幅方向に変形しやすく、やはり、係合がはずれやすく、イジェクトが不可能となるというように、誤動作を生じやすいという欠点を備えていた。
【００４４】
したがって、上記特許文献３において厚みを大きくすると、厚み方向の曲がりや変形、係合がはすれることは防止できるが、幅方向の寸法が大きくなり、コネクタを小型化や薄型化することができない。
【００４５】
そこで、本発明の技術的課題は、複数枚のカードを収容するカードコネクタの小型化及び薄型化が可能で、かつ部品点数を削減した簡単な機構でコストダウンすることができるとともに、確実にイジェクト動作を行うことができるイジェクト機構と、それを備えたカード用コネクタとを提供することにある。
【００４６】
【課題を解決するための手段】
本発明によれば、挿入された複数のカードを排出するためのイジェクト機構において、前記イジェクト機構は第１のカードを排出する第１の排出部材と、第２のカードを排出する第２の排出部材と、前記第１及び第２のカードを収容する収容位置と前記収容位置からカード収容方向へ移動した第１の位置と前記収容位置からカード排出方向へ移動した第２の位置との間で移動自在なイジェクトバーとを備え、前記第１及び第２の排出部材の夫々は、前記イジェクトバーが移動することにより操作され、カードを排出するものであり、前記イジェクトバーを前記収容位置からカード挿入方向である前記第１の位置へ移動した際、前記第１のカードが排出され、前記イジェクトバーを前記収容位置からカード排出方向である前記第２の位置へ移動した際には、前記第２のカードが排出されるように構成されていることを特徴とするイジェクト機構が得られる。
【００４７】
また、本発明によれば、前記イジェクト機構において、前記第１及び第２の排出部材は、前記第１及び前記第２のカードの積層方向に並んで配置されていることを特徴とするイジェクト機構が得られる。
【００４８】
また、本発明によれば、前記イジェクト機構において、前記第１及び第２の排出部材は、前記第１及び第２のカードの幅方向に並んで配置されていることを特徴とするイジェクト機構が得られる。
【００４９】
また、本発明によれば、前記いずれか一つのイジェクト機構を備えていることを特徴とするカード用コネクタが得られる。
【００５０】
さらに、本発明によれば、前記カード用コネクタにおいて、前記イジェクトバーを操作するための操作部をカード挿入側に備えていることを特徴とするカード用コネクタが得られる。
【００５１】
【発明の実施の形態】
以下、本発明の実施の形態について図面を参照しながら説明する。
【００５２】
図１及び図２は本発明の第１の実施の形態によるイジェクト機構を示す図で、（ａ）は斜視図，（ｂ）は側面図である。図２は図１のイジェクト機構の上段のカードイジェクト動作の説明に供せられる斜視図である。図３は図１のイジェクト機構の下段のカードイジェクト動作の説明に供せられる斜視図である。図４は図１のイジェクト機構の上段のカードイジェクト動作の説明に供せられる概略斜視図である。図５は図１のイジェクト機構の下段のカードイジェクト動作の説明に供せられる概略斜視図である。ここで、説明の便宜上、イジェクト機構において、カードの挿入方向の先端側を後ろ、カード排出方向の先端側を前と呼ぶ。
【００５３】
図１を参照すると、イジェクト機構１０は、特許文献１及び２に示したようなカードコネクタの筐体内の後側に配置される。イジェクト機構１０は、後端に、長さ方向に切り込まれたスロット１１を備え、長さ方向に摺動可能なイジェクトバー１と、第１の排出部材としての第１のカード押し出しキー３と、イジェクトバー１と連動して第１の押し出しキー３を駆動する連接棒４と、第１のカード押し出しキー３の図では上側に配置されイジェクトバー１と一体に形成された第２のカード押し出しキー２とを備えている。
【００５４】
また、ここで用いられるカードは、ＩＣカード、メモリスティック等の情報カードである。
【００５５】
連接棒４はベースピン５を中心に回転可能に設けられ、一端側には第１の押し出しピン７が突出して設けられ、この第１の押し出しピン７は、イジェクトバー１のスロット１１内に挿入されている。また、連接棒４の他端には、第１の排出部材としての第１のカード押し出しキー３と連結する第２の押し出しピン６が設けられている。
【００５６】
図２に最も良く示されるように、第１のカード押し出しキー３は、両端に第１のカード５１の先端部を幅方向に挟みこんで収容するための突出部３ａ，３ｂと、これらを連絡するキー本体３ｃと、キー本体のほぼ中央で、後端に延在する連結部３ｄを備え、この連結部は第２の押し出しピン６によって、連接棒４に対して、回転自在に連結されている。
【００５７】
図３に最も良く示されるように、第２の排出部材としての第２のカード押し出しキー２は、第２のカード５２の両側を挟み込む突出部２ａ，２ｂと、これら突出部２ａ，２ｂを連絡するとともに、さらに、突出部２ｂ側を越えて延在する連結部２ｃと、連結部２ｃの終端とイジェクトバー１とを結合する結合部２ｄとを備えている。
【００５８】
図１及び図４（ａ）のイジェクトバー１がカード収容位置にある状態で、イジェクトバー１を押し込み摺動させる（図２、図４（ｂ）の符号２２で示す方向）と、図２，図４（ｂ）に示すように、スロット１１と端部に押し出しピン７が押されて後退する。支点（ベースピン５）を中心にして、連接棒４が図では、左回りに回転する。左回りに回転するに従って、収容された第１のカード５１とともに第１の押し出しキー３が、前進する。その際、イジェクトバー１は、後方の停止位置である第１の位置まで摺動して停止する。従って、第１のカード５１の先端部が手前に突出してこの第１のカード５１を引き抜くことが可能となる。
【００５９】
図１、図５（ａ）の状態で、イジェクトバー１を図３、図５（ｂ）の矢印２４で示す方向に引き摺動させると、イジェクトバー１に一体形成された第２のカード押し出しキー２が、第２のカード５２とともに前進する。その際に、イジェクトバー１は前方低の停止位置である第２の位置まで、前進して停止する。
【００６０】
従って、第２のカード５２が手前に突出して、図示しないカードコネクタ筐体内に収容した第２のカードを引く抜くことが可能となる。
【００６１】
図６はイジェクトバーを実装する際の操作部の種々の例を示す図である。
【００６２】
図６（ａ）に示す例においては、コネクタ筐体３０の前端に開口部３１が設けられ、ここからイジェクトバー１の前端が貫通して露出し、その前端に丸い操作部２５が設けられている。この操作部２５は、指で摘んで引き出し押し込みが可能となる。
【００６３】
図６（ｂ）に示す例においては、コネクタ筐体３０の上端面に細長い開口部３２が設けられ、この開口部３２から、イジェクトバー１の前端上部に設けられたスイッチバー１３が貫通して突出した操作部を備えた構成である。このスイッチバー１３を矢印２６に示すように、開口部３２内を前進・後退させることで、イジェクトバー１を動作させることが可能となる。
【００６４】
図６（ｃ）に示す例においては、コネクタ筐体３０の側面に前後方向に細長い開口部３３が設けられこの開港部３３がイジェクトバー１の前端外側部に設けられたスイッチバー１４が貫通して突出する操作部を備えた構成である。このスイッチバー１４を矢印２７に示すように、前後させることで、イジェクトバー１を動作させることができる。
【００６５】
図６（ｄ）に示す例においては、操作部としてイジェクトバー１の内側全端部にキー１５が設けられ、これと並行して、キー１５と嵌合する螺旋溝１６ａを有するイジェクトロッド１６が設けられた構成を有する。イジェクトロッド１６の先端には、ダイヤル１７が設けられており、このダイヤを左右に回動させると、イジェクトバー１が前進・後退する。
【００６６】
図６（ｅ）に示す例においては、操作部として、イジェクトバー１の内側後端部にねじ山１８が設けられ、これと並行して、ねじ山１８と嵌合するねじ溝１９ａを外周部に有するイジェクトロッド１９を有する構成である。イジェクトロッド１９の一端は、径方向に溝１９ｂが設けられ、この溝１９ｂに、例えば、マイナスドライバー等の工具を差し込んで左右に回動すると、イジェクトバー１が前進・後退する構成である。
【００６７】
図７は本発明の第２の実施の形態によるイジェクト機構を示す概略斜視図である。図７においては、第２の排出部材としての第２のカード押し出しキー２´が第１の排出部材としての第１のカード押し出しキー３と並行に設けられている他は、同様の構成を有している。
【００６８】
即ち、イジェクト機構２０は、後端の長さ方向に切り込まれたスロット１１を備えたイジェクトバー１と、イジェクトバー１と並んで配置された第１の排出部材としての第１のカード押し出しキー３と、イジェクトバー１と連動して第１の押し出しキー３を駆動する連接棒４と、イジェクトバー１とは一体に形成され第１のカード押し出しキー３とは幅方向に並んで配置された第２の排出部材としての第２のカード押し出しキー２´とを備えている。
【００６９】
第１の実施の形態と同様に、連接棒４は、ベースピン５を中心に回転可能に設けられ、一端側には第１の押し出しピン７が突出して設けられ、この第１の押し出しピン７は、イジェクトバー１のスロット１１内に挿入されている。また、連接棒４の他端には、第１のカード押し出しキー３と連結する第２の押し出しピン６が設けられている。また、第１のカード押し出しキー３は両端にカードを収容するための突出部３ａ，３ｂと、これらを連絡するキー本体３ｃと、キー本体３ｃのほぼ中央で、後端に延在する連結部３ｄを備え、この連結部は第２の押し出しピン６によって、連接棒４に対して、回転自在に連結されている。
【００７０】
第２の実施の形態による第２のカード押し出しキー２´は、第２のカード５２の両側を幅方向挟み込んで収容する突出部２ａ´，２ｂ´と、これら突出部２ａ´，２ｂ記号を連絡するとともに、さらに、突出部２ａ´，２ｂ´の中央部で上方に伸びて、イジェクトバー１側に屈曲して延在する連結部２ｃ´と、連結部２ｃの終端とイジェクトバー１とを結合する結合部２ｄ´とを備えている。
【００７１】
図７の状態では、イジェクトバー１はカードが収容された収容位置にあり、イジェクトバー１を後方に押し込み後方の停止位置である第１の位置まで摺動させると、スロット１１の端部に押し出しピン７が押されて後退する。支点（ベースピン５）を中心にして、連接棒４が図では、左回りに回転する。左回りに回転するに従って、収容された第１のカード５１とともに第１の押し出しキー３が前進して停止する。従って、第１のカード５１の先端部が手前に突出してこのカードを引き抜くことが可能となる。
【００７２】
また、図７の状態で、イジェクトバー１を手前に引いて摺動させると、イジェクトバー１に一体形成された第２のカード押し出しキー２´、第２のカード５２とともに前進する。その際、イジェクトバー１は、前方の停止位置である第２の停止位置まで前進して停止する。従って、第２のカード５２が手前に突出して、第２のカード５２を引く抜くことが可能となる。
【００７３】
以上説明した、本発明の実施の形態においては、第１のカード５１及び第２のカード５２は同様の大きさや厚さを有する同種のカードであるように、示されているが、本発明においては、互いに大きさや厚みの異なる２種のカードを収容するカードコネクタにも適用できることは言うまでも無い。
【００７４】
【発明の効果】
以上説明したように、本発明によれば、２つのイジェクト機構を一つにまとめたためにカードコネクタ本体の部品点数を削減することができ、カードコネクタのコストを低減することができるイジェクト機構とそれを備えたカードコネクタとを提供することができる。
【００７５】
また、本発明によれば、イジェクト機構の部品点数の削減によって、カードコネクタ内部空間を大きくできるとともに、機構を簡略化することができ、確実なイジェクト動作を行うことができるカードコネクタ自体の小型化及び薄型化を図ることができ、従って、基板に実装するため省スペース化を図ることができるイジェクト機構とカードコネクタとを提供することができる。
【００７６】
さらに、本発明によれば、基板上に実装したときに、イジェクト部分の省スペース化によって製品表面にスペースができ、筐体設計の自由度および使用環境の自由度を高めることができ機構及び操作を簡略化することができるので、故障が少なく確実なイジェクト動作を行うことができるイジェクト機構とカードコネクタとを提供することができる。
【図面の簡単な説明】
【図１】本発明の第１の実施の形態によるイジェクト機構を示す図で、（ａ）は斜視図，（ｂ）は側面図である。
【図２】図１のイジェクト機構の上段のカードイジェクト動作の説明に供せられる斜視図である。
【図３】図１のイジェクト機構の下段のカードイジェクト動作の説明に供せられる斜視図である。
【図４】図１のイジェクト機構の上段のカードイジェクト動作の説明に供せられる概略斜視図である。
【図５】図１のイジェクト機構の下段のカードイジェクト動作の説明に供せられる概略斜視図である。
【図６】（ａ）〜（ｅ）はイジェクトバーを実装する際の操作部の種々の例を示す図である。
【図７】本発明の第２の実施の形態によるイジェクト機構を示す概略斜視図である。
【図８】従来技術によるカードコネクタの一例を示す正面斜視図である。
【図９】（ａ）及び（ｂ）は非選択状態を示す要部の正面図及び断面図である。
【図１０】（ａ）及び（ｂ）は一選択状態を示す要部の正面図及び断面図である。
【図１１】図９及び図１０の要部の変形例を示す分解組立斜視図である。
【図１２】特許文献１によるカードコネクタを示す斜視図である。
【図１３】図１２のコネクタの分解組立斜視図である。
【図１４】特許文献３によるカードコネクタのイジェクト装置を示す分解組立斜視図である。
【図１５】図１４のイジェクト装置の下段のカードを排出際の操作レバーとカード排出レバーの力点部との関係を示す図である。
【図１６】図１４のイジェクト装置の上段のカードを排出際の操作レバーとカード排出レバーの力点部との関係を示す図である。
【符号の説明】
１　　イジェクトバー
２，２´　　第２のカード押し出しキー
２ａ，２ａ´，２ｂ，２ｂ´　　突出部
２ｃ，２ｃ´　　連結部
２ｄ，２ｄ´　　結合部
３　　第１のカード押し出しキー
３ａ，３ｂ　　突出部
３ｃ　　キー本体
３ｄ　　連結部
４　　連接棒
５　　ベースピン
６　　第２の押し出しピン
７　　第１の押し出しピン
１０，２０　　イジェクト機構
１１　　スロット
１３，１４　　スイッチバー
１５　　キー
１６，１９　　イジェクトロッド
１６ａ　　螺旋溝
１７　　ダイヤル
１８　　ねじ山
１９ａ　　ねじ溝
１９ｂ　　溝
２５　　操作部
３０　　コネクタ筐体
３１，３２，３３　　開口部
５１　　第１のカード
５２　　第２のカード
１０１　　カードコネクタ
１０２　　排出機構
１１１　　コネクタケース
１１２，１１３　　側縁
１１４ａ，１１４ｂ　　スロット
１１５　　奥辺
１１６　　接点
１１７　　リード
１１８　　ネジ挿通孔
１２１　　シーソーレバー
１２２　　支点ピン
１２３　　押出片
１２４　　連結ピン
１２５（１２５ａ，１２５ｂ）　　伝達ロッド
１３１　　操作ロッド
１３２　　摘み
１３３　　鍔
１３４　　コイルバネ
１３５　　押棒
１３６ａ，１３６ｂ　　ストッパ
１３８　　ボール
１３９　　バネ
１３７　　保持溝
１４２，１４３　　突起
１４４　　孔
１５１　　多段カードコネクタ
１５２　　枠体
１５３　　レバー
１５４　　イジェクタ
１５５　　操作部材
１５６　　中空部
１５８　　ピンコンタクト
１５９　　係合凸起
１６０　　ガイドフレーム
１６１　　コンタクトフレーム
１６２　　係合凸部
１６３　　係合凹部
１６４　　ガイド部
１６５　　セパレータ
１６６　　ホルダ部
１９０　　コネクタ
１７０　　空間
１７３ａ，１７３ｂ，１７３ｃ　　係合溝
１８１　　押し出し部
１８２　　係合部
１８３　　軸孔
２０１　　上段フレーム
２０２　　上段カード排出レバー
２０３　　支点
２０４　　力点部
２０５　　作用点部
２０６　　下段フレーム
２０７　　下段カード排出レバー
２０８　　支点
２０９　　力点部
２１０　　作用点部
２１１　　操作レバー
２１２　　上段長穴
２１３　　下段長穴
２１４　　操作部
【図１】
2004095277.tif 000003
【図２】
2004095277.tif 000004
【図３】
2004095277.tif 000005
【図４】
2004095277.tif 000006
【図５】
2004095277.tif 000007
【図６】
2004095277.tif 000008
【図７】
2004095277.tif 000009
【図８】
2004095277.tif 000010
【図９】
2004095277.tif 000011
【図１０】
2004095277.tif 000012
【図１１】
2004095277.tif 000013
【図１２】
2004095277.tif 000014
【図１３】
2004095277.tif 000015
【図１４】
2004095277.tif 000016
【図１５】
2004095277.tif 000017
【図１６】
2004095277.tif 000018